(57)【要約】      （修正有）【課題】芳香剤入り容器を購入したユーザ自身がその好みに合わせて簡便な方法でその容器本体のデザインを変更することができるようにする。【解決手段】容器本体１にその容器本体１から芳香を放散させる芳香剤２が収容されている芳香剤入り容器において、容器本体１に貼着されてその容器本体１にデザインの変化を与えるシール片３を追加する。容器本体１と剥離紙４に保持させたシール片３とを組み合わせてユーザに提供する。【選択図】図１
0003110934.tif 000002
【実用新案登録請求の範囲】
【請求項１】
容器本体にその容器本体から芳香を放散させる芳香剤が収容されている芳香剤入り容器において、
上記容器本体に貼着されてその容器本体にデザインの変化を与えるシール片を追加してあることを特徴とする芳香剤入り容器。
【請求項２】
上記容器本体が芳香剤を透視可能な透明性を有し、上記シール片が無色又は着色された半透明性を有している請求項１に記載した芳香剤入り容器。
【請求項３】
上記容器本体が芳香剤を透視可能な透明性を有し、上記芳香剤が透明性を有し、上記シール片が表裏両面にデザインが施されている両面シール片である請求項１に記載した芳香剤入り容器。
【請求項４】
上記容器本体が芳香剤を透視可能な透明性を有し、上記芳香剤が透明性を有し、上記容器本体に動物、乗物その他の物体を具現した個体が収容されていて、上記シール片のデザインがその物体に関連付けされている請求項１ないし請求項３のいずれか１項に記載した芳香剤入り容器。
【請求項５】
複数枚の上記シール片が剥離紙に保持されている請求項１ないし請求項４のいずれか１項に記載した芳香剤入り容器。
【請求項６】
上記シール片が、着脱自在なシール片として構成されている請求項１ないし請求項５のいずれか１項に記載した芳香剤入り容器。
【考案の詳細な説明】
【技術分野】
【０００１】
本考案は、芳香剤入り容器、特に、芳香剤を収容している容器本体のデザインをユーザが自由に変化させることできる対策を講じた芳香剤入り容器に関する。
【背景技術】
【０００２】
従来の芳香剤入り容器は、芳香剤を収容している容器本体にガラス、プラスチック、陶器などの素材が用いられていて、その容器本体が必要に応じて様々な形にデザイン化されていた。そして、車内などに置いて、その容器本体から放散される芳香によって車内の快適性を高めたり車内の悪臭を消したり、あるいは、デザイン化された容器本体の形を見て楽しむということが行われていた。また、透明性を有する芳香剤を、動物、乗物その他の物体を具現した個体と共に容器本体に収容しておくことにより、その個体が容器本体や芳香剤を透けて見えるようにしてデザインの斬新性を高めたものも知られていた。
【考案の開示】
【考案が解決しようとする課題】
【０００３】
しかしながら、従来の芳香剤入り容器についてのデザインは、製造者又は販売者側によって決定されていて、それを購入して使用するユーザ自身がそのデザインに変化を与えてユーザ固有のデザインに作り変えるということが想定されていなかった。そのため、ユーザは、購入した芳香剤入り容器のデザインを変更することなくそのまま使用するということが多かった。
【０００４】
本考案は以上の状況に鑑みてなされたものであり、芳香剤入り容器を購入したユーザ自身がその好みに合わせて簡便な方法でその容器本体のデザインを変更することを可能にした芳香剤入り容器を提供することを目的とする。
【課題を解決するための手段】
【０００５】
本考案に係る芳香剤入り容器は、容器本体にその容器本体から芳香を放散させる芳香剤が収容されている芳香剤入り容器において、上記容器本体に貼着されてその容器本体にデザインの変化を与えるシール片を追加してある、というものである。
【０００６】
この芳香剤入り容器によると、シール片を容器本体に貼着することによって容器本体のデザインを変化させることができるので、ユーザ自身がその好みに合わせて簡便な方法でその容器本体のデザインを変更することが可能になる。この考案において、上記シール片が、星形、円形、多角形、花形、文字形、などの広く知られた普遍的形状に形作られていると、そのシール片を貼着する位置や数や種類を変えたりすることによってそれぞれ異なるデザインの容器本体を作り上げることが可能である。また、上記シール片に、薄肉に形成された平面的シール片、厚肉又は膨らみ形状に形成された立体的シール片、ホログラム印刷されたシール片、ラメ入りシール片、表裏両面にデザインが施されている両面シール片、表面が鏡面に形成されたミラーシール片、布素材で作られた布シール片から選ばれる１種又は複数種を含ませておいたりすることも可能であり、これによっても、それぞれのシール片が発揮する装飾性や質感などが異なるために容器本体を異なるデザインに変化させることが可能になる。  
【０００７】
本考案において、上記容器本体が芳香剤を透視可能な透明性を有し、上記シール片が無色又は着色された半透明性を有していると、芳香剤の色が容器本体を透して見えることと、容器本体に貼着されたシール片が半透明性であることとが相乗し、シール片を透して見える芳香剤の色が芳香剤自体の色とは異なった色に見えたりして容器本体のデザイン選択のバリエーションが拡がる。
【０００８】
本考案において、上記容器本体が芳香剤を透視可能な透明性を有し、上記芳香剤が透明性を有し、上記シール片が表裏両面にデザインが施されている両面シール片であると、たとえばシール片の貼着箇所の反対側からそのシール片を見た場合に、光の屈折によりシール片の形や大きさがシール片自体の形や大きさとは異なって見えるようになるために、容器本体のデザイン選択のバリエーションが拡がる。なお、芳香剤は透明性を有しているが、無色透明である必要はなく、着色透明であっても良い。また、金属フレークやコレステリック液晶ポリマー等の光沢材、いわゆるラメを加えたものであっても良く、透明性を有していれば良い。
【０００９】
本考案では、上記容器本体が芳香剤を透視可能な透明性を有し、上記芳香剤が透明性を有し、上記容器本体に動物、乗物その他の物体を具現した個体が収容されていて、上記シール片のデザインがその物体に関連付けされている、という構成を採用することも可能であり、それによると、容器本体に収容している個体とそれに関連するシール片のデザインとによってストーリ性が生じるようになる。
【００１０】
本考案では、複数枚の上記シール片が剥離紙に保持されていることが望ましく、こうしておくと、ユーザ自身が必要なシール片を剥離紙から剥がして容器本体に貼着することにより、容器本体を好みのデザインに変えることが可能になる。
【００１１】
本考案では、上記シール片が、着脱自在なシール片として構成されていることが望ましく、シール片を、着脱自在なシール片として構成した場合、一度容器本体の外面に貼着されたシール片を剥がして、別のシール片を再度貼着し直すことにより、何回でも容器本体を別のデザインに変化させることもできる。
【考案の効果】
【００１２】
以上のように、本考案によれば、芳香剤入り容器を購入したユーザ自身がその好みに合わせて簡便な方法でその容器本体のデザインを変更して使用することが可能になる。そのため、ユーザにとっては、従来のような製造者又は販売者によって決定されたデザインのものをそのまま使用するという場合よりも、好みに合う趣味感をその芳香剤入り容器によって発揮させることができるようになる。
【考案を実施するための最良の形態】
【００１３】
図１は本考案の実施形態に係る芳香剤入り容器の外観図である。同図のように、この芳香剤入り容器は、芳香剤２を収容している容器本体１と、剥離紙４に保持されている複数枚のシール片３…との組合せでなる。
【００１４】
容器本体１は、同図に一部透視して示したように、ガラス又はプラスチックで作られていると共に透明性を有していて、その上部に装着された蓋１２の開口１３を通じて、内部に収容されている芳香剤２の芳香が放散されるようになっている。また、芳香剤２はゲル状物質又は液状物質でなり、それ自体が無色又は淡い色に着色された透明性を有している。さらに、容器本体１の内部には個体５が芳香剤２と共に収容されていて、その個体５が芳香剤２や容器本体１を透して外部から見えるようになっている。
【００１５】
剥離紙４は矩形で、その剥離紙４に様々な形のシール片３が保持されている。シール片３の形はどんな形状であってもよいが、たとえば、図３（ａ）〜（ｋ）に例示したような星形、円形、三角形、四角形、菱形、ハート形、花びら形、月形、スペード形、三葉形、四葉形などのほか、同（ｌ）のような数字、同（ｍ）のようなアルファベット、同（ｎ）のような平仮名といった様々な広く知られた公知の普遍的な形状、記号、文字の形が選択される。そして、ユーザがシール片３を剥離紙４から剥がして図２のように容器本体１の外面の好みの位置に貼着すると、そのシール片３によって容器本体１がユーザ自身の好みのデザインに変化する。容器本体１に組み合わせられるシール片３の形状の種類や枚数は、剥離紙４の大きさによって制約を受けるけれども、容器本体１に対するシール片３の貼着箇所や種類を変えることによって同じシール片３を使って異なるデザインが与えられることになる。そのため、容器本体１にユーザ固有のデザインが与えられ、他に同じデザインの容器本体１があり得なくなる。
【００１６】
また、シール片３には、薄肉に形成された平面的シール片、厚肉又は膨らみ形状に形成された立体的シール片、ホログラム印刷されたシール片、ラメ入りシール片、表裏両面にデザインが施されている両面シール片、表面が鏡面に形成されたミラーシール片、布素材で作られた布シール片などから選ばれる１種又は複数種を含ませておいたりすることも可能であり、これによっても、それぞれのシール片が発揮する装飾性や質感などが異なるために容器本体１を異なるデザインに変化させることが可能である。これらのシール片３のうち、たとえば図４に示したように両面シール片を容器本体１に貼着しておくと、そのシール片３がその貼着箇所の側からだけでなく、その貼着箇所の反対側からも見えるようになる。そして、貼着箇所の側からはシール片３がそのまま見えるけれども、貼着箇所の反対側から見えるシール片３は光の屈折によって大きさや形状、色などが変化して見える。また、立体的シール片を貼着しておくと、立体感が容器本体１に付加されることになる。
【００１７】
さらにシール片３は帯状であってもよく、図５のようにそのような帯状のシール片３を容器本体１の下半部に巻き付けて貼着することも可能であり、そのようにすると、シール片３が不透明であれば、そのシール片３の色やそのシール片３に施した柄模様などが見え、シール片３が透明又は半透明であれば、芳香剤２の色がシール片３を透して見え、さらに、シール片３が色付き透明又は色付き半透明であれば、芳香剤２の色にシール片３の色が重畳して見える。たとえば、シール片３が黄色透明で芳香剤２が青色であれば、シール片３が緑色に見えることになり、それによって商品カラーに変化が与えられる。帯状のシール片３を容器本体１の上半部に巻き付けて貼着することも勿論可能である。
【００１８】
さらに、シール片３が文字の一字を表しているときには、たとえば、図６（ａ）のようにそれらのシール片３を横に並べて貼着して人名などを表示させたり、同図（ｂ）のように斜めに並べて貼着して人名などを表示させたり、同図（ｃ）のように並べ方に特殊な工夫を講じて表示の仕方のデザイン化度を高めることも可能である。
【００１９】
また、容器本体１の外面の好みの位置に貼着されたシール片３は、着脱自在なシール片３として構成してもよい。この場合、シール片３を剥がしても、その被着面には貼着跡が残らないように、粘着剤を用いてシール片３を剥離紙４に保持させる。
上記のように、シール片３を、着脱自在なシール片３として構成した場合、一度容器本体１の外面に貼着されたシール片３を剥がして、別のシール片３を再度貼着し直すことにより、何回でも容器本体１を別のデザインに変化させることもできる。
【００２０】
次に、芳香剤が青色やピンク色に着色されているような場合、或いは芳香剤にラメが混入されている場合には、その芳香剤の色、或いはラメによって連想されるデザインを持つ透明なシール片３を容器本体１に貼着することによって、季節感や風景などのストーリ性が与えられる。たとえば、図７（ａ）に示した容器本体１に青色の芳香剤２が収容されている場合に、同図（ｂ）のように容器本体１に「いるか」や「かもめ」の海に係わるデザインを施した透明なシール片３を貼着しておくと、芳香剤２の青色がシール片３を透して見えるために海原で「いるか」や「かもめ」が遊んでいるというようなストーリ性が与えられてその商品のコンセプトを明確に主張することができるようになる。また、容器本体１にピンク色の芳香剤２が収容されている場合に、同図（ｃ）のように容器本体１に春の花などのデザインを施した透明なシール片３を貼着しておくと、芳香剤２のピンク色がシール片３を透して見えるために春の暖かな雰囲気を発揮するストーリ性が与えられてその商品のコンセプトを明確に主張することができるようになる。
【００２１】
同様に、図１に示した容器本体１のように、芳香剤２が透明性を有し、容器本体１に動物、乗物その他の物体を具現した個体５が収容されているような場合に、容器本体１に貼着するシール片３のデザインがその物体に関連付けされていると、シール片３を貼着してあることによって容器本体１のデザインが変化していることに加えて、個体５とシール片３とによってストーリ性が発揮されてその商品のコンセプトを明確に主張することができるようになる。たとえば、個体５が自動車であれば、シール片３に信号機や街路樹などのデザインが施されていると、自動車が道路を走っているというようなストーリ性が与えられる。また、個体５が犬や猫などの動物である場合に、シール片３に足跡やペットのおもちゃなどのデザインが施されていると、犬や猫が遊んでいるというようなストーリ性が与えられてその商品のコンセプトを明確に主張することができるようになる。
【００２２】
本考案に係る芳香剤入り容器において、容器本体１は不透明であってもよい。そのため、容器本体１を陶器製とすることも可能である。また、シール片３は不透明であっても、透明であっても、半透明であってもよく、それらを１つの容器本体１に混用することも可能である。
【図面の簡単な説明】
【００２３】
【図１】本考案の実施形態に係る芳香剤入り容器の外観図である。
【図２】使用状態の芳香剤入り容器の外観図である。
【図３】シール片の形状などを例示した説明図である。
【図４】両面シール片の使用状態の概略平面図である。
【図５】帯状のシール片の使用状態説明図である。
【図６】文字を表すシール片の使用状態説明図である。
【図７】ストーリ性を持たせる事例の説明図である。
【符号の説明】
【００２４】
１  容器本体
２  芳香剤
３  シール片
４  剥離紙
５  個体
【図１】
0003110934.tif 000003
【図２】
0003110934.tif 000004
【図３】
0003110934.tif 000005
【図４】
0003110934.tif 000006
【図５】
0003110934.tif 000007
【図６】
0003110934.tif 000008
【図７】
0003110934.tif 000009